(57)【要約】【課題】ろ過体を効率的に洗浄し得る脱水機を提供する。【解決手段】被脱水物の脱水に用いられるろ過体と、ろ過体の洗浄装置とを備える脱水機であって、洗浄装置は、ろ過体に液体を供給する液体供給機構と、液体を供給したろ過体に電磁波を照射する電磁波照射機構とを有する、脱水機。脱水機は、ろ過体としてろ布を用いて被脱水物を脱水する脱水部と、ろ布から脱水物を剥離する剥離部と、脱水物を剥離したろ布を洗浄装置で洗浄する洗浄部とを備えるベルトプレス脱水機であることが好ましい。【選択図】図１
2019118886.tif 000002
【特許請求の範囲】
【請求項１】
被脱水物の脱水に用いられるろ過体と、前記ろ過体の洗浄装置とを備える脱水機であって、
前記洗浄装置は、前記ろ過体に液体を供給する液体供給機構と、前記液体を供給したろ過体に電磁波を照射する電磁波照射機構とを有する、脱水機。
【請求項２】
前記脱水機が、前記ろ過体としてろ布を用いて前記被脱水物を脱水する脱水部と、前記ろ布から脱水物を剥離する剥離部と、前記脱水物を剥離したろ布を前記洗浄装置で洗浄する洗浄部とを備えるベルトプレス脱水機であり、
前記電磁波照射機構は、前記ろ布の走行方向と交差する方向に前記ろ布を囲繞するように巻き回されたコイルよりなる電磁波照射部を有する、請求項１に記載の脱水機。
【請求項３】
前記脱水機が、前記ろ過体としてろ布を用いて前記被脱水物を脱水する脱水部と、前記ろ布から脱水物を剥離する剥離部と、前記脱水物を剥離したろ布を前記洗浄装置で洗浄する洗浄部とを備えるベルトプレス脱水機であり、
前記電磁波照射機構は、前記ろ布の前記脱水物が付着していた側に、平面内で導線を折り曲げてなる電磁波照射部を有する、請求項１に記載の脱水機。
【発明の詳細な説明】
【技術分野】
【０００１】
本発明は、脱水機に関し、特には、電磁波を利用した洗浄装置を備える脱水機に関するものである。
【背景技術】
【０００２】
従来、汚泥等の被脱水物の脱水には、ベルトプレス脱水機やスクリュープレス脱水機などの脱水機が用いられている。
【０００３】
そして、脱水機では、ろ布やスクリーンなどのろ過体の目詰まりにより脱水効率が低下するのを防止するため、洗浄装置を設けてろ過体の洗浄を行っている。具体的には、例えば特許文献１では、水に浸漬したろ過体に対して超音波を照射する洗浄装置を使用し、ろ過体の洗浄を行っていた。
【先行技術文献】
【特許文献】
【０００４】
【特許文献１】特開昭６１−１２９２９９号公報
【発明の概要】
【発明が解決しようとする課題】
【０００５】
しかし、上記従来の洗浄装置を備える脱水機では、ろ過体の洗浄に必要な水の量が多かった。そのため、ろ過体を効率的に洗浄し得る洗浄装置を備えた脱水機が求められていた。
【０００６】
そこで、本発明は、ろ過体を効率的に洗浄し得る脱水機を提供することを目的とする。
【課題を解決するための手段】
【０００７】
この発明は、上記課題を有利に解決することを目的とするものであり、本発明の脱水機は、被脱水物の脱水に用いられるろ過体と、前記ろ過体の洗浄装置とを備える脱水機であって、前記洗浄装置は、前記ろ過体に液体を供給する液体供給機構と、前記液体を供給したろ過体に電磁波を照射する電磁波照射機構とを有することを特徴とする。このように、液体供給機構および電磁波照射機構を設け、液体を供給した後のろ過体に電磁波を照射すれば、ろ過体を効率的に洗浄することができる。
【０００８】
そして、本発明の脱水機は、前記脱水機が、前記ろ過体としてろ布を用いて前記被脱水物を脱水する脱水部と、前記ろ布から脱水物を剥離する剥離部と、前記脱水物を剥離したろ布を前記洗浄装置で洗浄する洗浄部とを備えるベルトプレス脱水機であり、前記電磁波照射機構は、前記ろ布の走行方向と交差する方向に前記ろ布を囲繞するように巻き回されたコイルよりなる電磁波照射部を有することが好ましい。脱水機がろ過体としてろ布を用いたベルトプレス脱水機である場合に、ろ布を囲繞するように巻き回されたコイルよりなる電磁波照射部を有する電磁波照射機構を使用すれば、ろ過体としてのろ布に電磁波を確実に照射してろ過体の洗浄効率を更に向上させることができる。
【０００９】
また、本発明の脱水機は、前記脱水機が、前記ろ過体としてろ布を用いて前記被脱水物を脱水する脱水部と、前記ろ布から脱水物を剥離する剥離部と、前記脱水物を剥離したろ布を前記洗浄装置で洗浄する洗浄部とを備えるベルトプレス脱水機であり、前記電磁波照射機構は、前記ろ布の前記脱水物が付着していた側に、平面内で導線を折り曲げてなる電磁波照射部を有することも好ましい。脱水機がろ過体としてろ布を用いたベルトプレス脱水機である場合に、平面内で導線を折り曲げてなる電磁波照射部を有する電磁波照射機構を使用し、脱水物が付着していた側からろ布に電磁波を照射すれば、ろ過体としてのろ布に電磁波を確実に照射してろ過体の洗浄効率を更に向上させることができる。
【発明の効果】
【００１０】
本発明の脱水機によれば、ろ過体を効率的に洗浄することができる。
【図面の簡単な説明】
【００１１】
【図１】本発明に従う脱水機の一例の概略構成を示す説明図である。
【図２】電磁波照射機構の一例の概略構成を示す下面図である。
【図３】液体供給機構の一例の概略構成を示す断面図である。
【図４】電磁波照射機構の他の例の概略構成を示す断面図である。
【図５】本発明に従う脱水機の他の例の概略構成を示す説明図である。
【発明を実施するための形態】
【００１２】
以下、本発明の実施の形態を、図面に基づき詳細に説明する。
なお、本発明の脱水機は、特に限定されることなく、例えば、下水や排水を生物処理した際に生じる余剰汚泥などの汚泥の脱水に用いることができる。
【００１３】
図１に、本発明の脱水機の一例の概略構成を示す。図１に示す脱水機１００は、高分子凝集剤などの凝集剤を添加する凝集剤添加機構（図示せず）を有する凝集混和槽３０から供給される被脱水物としての汚泥Ｓをろ過体としてのろ布１１，１２，２１を用いて脱水して脱水ケーキＤＣを得るベルトプレス脱水機である。そして、脱水機１００は、ベルトプレスを用いて汚泥Ｓを脱水するベルトプレス脱水部１０と、汚泥Ｓの流れ方向で見てベルトプレス脱水部１０の前段側に任意に設けられる予備脱水部２０とを有している。
【００１４】
予備脱水部２０は、無端のろ布２１と、ろ布２１を駆動および／または支持する複数の（図示例では４つの）ローラ２２と、ろ布２１を挟んで汚泥Ｓ側とは反対側に設けられてろ布２１上を搬送される汚泥Ｓから分離された水を収集するトレイ２３と、汚泥Ｓを掻き寄せる掻き寄せスクリュー２４と、掻き寄せスクリュー２４で掻き寄せられた汚泥Ｓを脱水する脱水ローラ２５とを備えている。また、予備脱水部２０は、凝集混和槽３０から汚泥Ｓが供給される位置と掻き寄せスクリュー２４との間に無機凝集剤などの凝集剤を汚泥Ｓに添加する凝集剤添加機構（図示せず）を更に有している。
なお、複数のローラ２２のうちの少なくとも一つは駆動ローラである。また、トレイ２３で収集された水は、任意の処理方法を用いて処理することができる。
【００１５】
そして、予備脱水部２０では、凝集混和槽３０から供給された汚泥Ｓが、重力濃縮により濃縮された後、無機凝集剤などの凝集剤を添加されてから掻き寄せスクリュー２４で掻き寄せられる。そして、汚泥Ｓは、脱水ローラ２５により脱水された後、図示例では左端から下方へと落下し、予備脱水部２０の下側に設けられたベルトプレス脱水部１０へと供給される。
【００１６】
ベルトプレス脱水部１０は、予備脱水部２０から汚泥Ｓが供給される無端の下ろ布１１と、下ろ布１１と共に汚泥Ｓを挟み込んで汚泥Ｓを脱水する上ろ布１２と、下ろ布１１並びに上ろ布１２を駆動および／または支持する複数の（図示例では１１つの）ローラ１５と、下ろ布１１を挟んで汚泥Ｓ側とは反対側に設けられて下ろ布１１上を搬送される汚泥Ｓから分離された水を収集するトレイ１６とを備えている。
なお、下ろ布１１を駆動および／または支持する複数のローラ１５のうちの少なくとも一つは駆動ローラであり、上ろ布１２を駆動および／または支持する複数のローラ１５のうちの少なくとも一つは駆動ローラである。また、トレイ１６で収集された水は、任意の処理方法を用いて処理することができる。
【００１７】
そして、ベルトプレス脱水部１０では、予備脱水部２０から下ろ布１１上に供給された汚泥Ｓが下ろ布１１および上ろ布１２で挟み込まれて脱水される。そして、汚泥Ｓの脱水により得られた脱水ケーキＤＣ（脱水物）は、図示例では右端において下ろ布１１から剥離されて落下する。即ち、ベルトプレス脱水部１０では、下ろ布１１および上ろ布１２で汚泥Ｓを挟み込んでいる部分がろ布１１，１２を用いて汚泥Ｓを脱水する脱水部となり、下ろ布１１と上ろ布１２とが離隔した後の、図示例では右端側の部分がろ布から脱水ケーキＤＣを剥離する剥離部となる。なお、後に詳細に説明するように、このベルトプレス脱水部１０では、脱水部が、ろ過体としてのろ布から汚れを剥離する汚れ剥離機構としても機能する。
【００１８】
また、ベルトプレス脱水部１０は、下ろ布１１および上ろ布１２を洗浄する洗浄装置として、ろ過体に液体を供給する液体供給機構と、液体供給機構から液体が供給されたろ布１１，１２に電磁波を照射する電磁波照射機構とを有している。具体的には、ベルトプレス脱水部１０は、図１中に矢印で示すろ布１１，１２の走行方向で見て剥離部の下流側に、液体供給機構および電磁波照射機構を有する洗浄装置を備えている。
【００１９】
より具体的には、ベルトプレス脱水部１０は、下ろ布１１を洗浄する洗浄装置として、水などの液体を図示例では下ろ布１１の汚泥Ｓと接触していた面側に供給する液体供給機構１３Ａと、液体供給機構１３Ａが下ろ布１１に液体を供給する位置よりも下流側（図示例では左端側）に設けられて下ろ布１１に電磁波を照射するための電磁波発生装置１４Ａとを備えている。また、ベルトプレス脱水部１０は、上ろ布１２を洗浄する洗浄装置として、水などの液体を図示例では上ろ布１２の汚泥Ｓと接触していた面側に供給する液体供給機構１３Ｂと、液体供給機構１３Ｂが上ろ布１２に液体を供給する位置よりも下流側（図示例では左端側）に設けられて上ろ布１２に電磁波を照射するための電磁波発生装置１４Ｂとを備えている。そして、ベルトプレス脱水部１０では、液体の供給後に電磁波を照射されたろ布１１，１２に付着していた汚れが、次に汚泥Ｓをろ布１１，１２で挟み込んで脱水する際に、脱水される汚泥に付着・一体化してろ布から剥離される。即ち、ベルトプレス脱水部１０では、液体供給機構１３Ａおよび電磁波発生装置１４Ａが設けられている部分、液体供給機構１３Ｂおよび電磁波発生装置１４Ｂが設けられている部分、並びに、ろ布から汚れを剥離する汚れ剥離機構としての脱水部が、ろ布１１，１２を洗浄装置で洗浄する洗浄部となる。
【００２０】
そして、この一例の脱水機１００では、電磁波発生装置１４Ａは、図２に下面図を示すような構成を有している。即ち、電磁波発生装置１４Ａは、平面内で導線を折り曲げてなる電磁波照射部１４ａと、電磁波照射部１４ａに交流電流を流す交流電流発生器１４ｂとを備えている。また、電磁波発生装置１４Ａの電磁波照射部１４ａは、下ろ布１１の汚泥Ｓが付着していた側に配置されている。更に、電磁波照射部１４ａは、交流電流が流れる方向が１８０°異なる部分を有している。このように、平面内で導線を折り曲げてなる電磁波照射部１４ａを有する電磁波発生装置１４Ａを使用すれば、下ろ布１１に電磁波を確実に照射し、下ろ布１１の洗浄効率を更に向上させることができる。特に、交流電流が流れる方向が１８０°異なる部分を有する電磁波照射部１４ａを使用すれば、下ろ布１１に電磁波を効率的に照射し、下ろ布１１の洗浄効率を更に向上させることができる。
なお、上ろ布１２の洗浄に用いられる電磁波発生装置１４Ｂは、下ろ布１１の洗浄に用いられる電磁波発生装置１４Ａと同様の構成を有しているため、以下では詳細な説明を省略する。
【００２１】
また、この一例の脱水機１００では、液体供給機構１３Ａは、図３に下ろ布１１の走行方向に沿う断面図を示すような構成を有している。即ち、液体供給機構１３Ａは、液体としての水Ｗを下ろ布１１に噴射する噴射孔（図示せず）を有する配管１３ｂと、下ろ布１１に噴射された液体を回収する液体ボックス１３ａとを備えている。
なお、上ろ布１２の洗浄に用いられる液体供給機構１３Ｂは、下ろ布１１の洗浄に用いられる液体供給機構１３Ａと同様の構成を有しているため、以下では詳細な説明を省略する。
【００２２】
そして、脱水機１００は、液体供給機構１３Ａ，１３Ｂおよび電磁波発生装置１４Ａ，１４Ｂを備えているので、脱水ケーキＤＣを剥離した後のろ布１１，１２に対し、液体（水Ｗ）の供給および電磁波の照射を行い、ろ過体としてのろ布１１，１２を少量の液体で効率的に洗浄することができる。
なお、ろ布１１，１２への液体の供給および液体の供給後の電磁波の照射により洗浄効率を向上させることができる理由は、明らかではないが、液体を供給した後に電磁波を照射することにより、ろ過体としてのろ布に付着した汚れを浮かせて容易に剥離される状態とすることができるので、次に汚泥Ｓを挟み込んで脱水する際に、ろ布に付着していた汚れが脱水される汚泥に付着・一体化してろ布から容易に剥離されるためであると推察される。
【００２３】
なお、ろ布の１１，１２の洗浄効率を更に高める観点からは、電磁波発生装置において電磁波照射部に交流電流を流す交流電流発生器としては、周波数が時間的に変化する方形波の交流電流を発生させる交流電流発生器、並びに、単一周波数の交流電流または互いに周波数の異なる２つ以上の単一周波数の交流電流を発生させる交流電流発生器を用いることが好ましく、単一周波数の交流電流または互いに周波数の異なる２つ以上の単一周波数の交流電流を発生させる交流電流発生器を用いることがより好ましい。具体的には、交流電流発生器としては、特に限定されることなく、例えば特開２０１１−２５５３４５号公報や特開２０１３−１６７１６０号公報に記載の装置や、株式会社サイライズ製の「ウォーター・ウォッチャー」などを用いることができる。
【００２４】
以上、一例を用いて本発明の脱水機について説明したが、本発明の脱水機は上述した構成に限定されるものではない。
具体的には、電磁波発生装置は、例えば図４に示すような構成を有していてもよい。図４に下ろ布１１の幅方向に沿う断面を示す電磁波発生装置１４Ａは、下ろ布１１の走行方向と交差する方向（図示例では下ろ布１１の幅方向）に下ろ布１１を囲繞するように巻き回されたコイルよりなる電磁波照射部１４ａを有している。具体的には、図４に示す電磁波発生装置１４Ａは、下ろ布１１を挟み込むように配置されたＵ字管１４ｃ内に導線を挿通して下ろ布１１を囲繞するように導線を巻き回してなるコイル（電磁波照射部１４ａ）と、電磁波照射部１４ａに交流電流を流す交流電流発生器１４ｂとを備えている。このように、下ろ布１１を囲繞するように巻き回されたコイルよりなる電磁波照射部１４ａを有する電磁波発生装置１４Ａを使用すれば、下ろ布１１に電磁波を確実に照射し、下ろ布１１の洗浄効率を更に向上させることができる。
【００２５】
また、ろ布への液体の供給は、液体を貯留する水槽等にろ布を浸漬することにより行ってもよい。
【００２６】
更に、上記一例では、ろ布に付着していた汚れを脱水される汚泥に付着・一体化させることでろ布から剥離する場合について示したが、液体の供給後に電磁波を照射されたろ過体から汚れを剥離する汚れ剥離機構は、任意の構成とすることができる。具体的には、汚れ剥離機構は、例えば、液体の供給および電磁波の照射を行った後のろ過体に対して洗浄液を噴射することによりろ過体から汚れを剥離する洗浄液噴射装置であってもよい。
【００２７】
また、液体の供給およびろ過体への電磁波の照射は、脱水物としての脱水ケーキＤＣが接触していた面側とは反対側から行ってもよい。
【００２８】
更に、上記一例では脱水機がベルトプレス脱水機である場合について示したが、本発明の脱水機は別の形式の脱水機であってもよい。具体的には、本発明の脱水機は、例えば図５に軸線に直交する方向の断面を示すようなスクリュープレス脱水機であってもよい。図５に示す脱水機２００は、スクリュー２１０と、スクリュー２１０を囲繞する円筒状のスクリーン２２０とを備えている。また、脱水機２００は、スクリーン２２０の外周に沿って移動可能な液体供給機構２３０および電磁波発生装置２４０を備えている。なお、液体供給機構２３０および電磁波発生装置２４０は、それぞれ、スクリーン２２０の外周に沿って移動可能である以外は上記一例の液体供給機構１３Ａおよび電磁波発生装置１４Ａと同様の構成を有しているため、説明を省略する。そして、脱水機２００では、液体供給機構２３０からろ過体としてのスクリーン２２０へと液体を噴射すると共に、スクリーン２２０に対して電磁波発生装置２４０から電磁波を照射することができる。従って、ろ過体としてのスクリーン２２０を効率的に洗浄することができる。
【実施例】
【００２９】
以下、本発明について実施例を用いて更に詳細に説明するが、本発明はこれら実施例に限定されるものではない。
【００３０】
（実施例１）
図１に示すような構成を有するベルトプレス脱水機（ろ布幅：１ｍ）を使用し、脱水物（脱水ケーキ）を剥離したろ布に対して水の噴射および電磁波の照射を行いつつ消化汚泥を脱水した。
なお、脱水は、消化汚泥濃度：２％、処理量：３ｍ３／時間、高分子凝集剤添加率：１．７％、ポリ硫酸第二鉄添加率：２０％、運転時間：７時間／日、運転日数：４日間の条件で行った。
そして、脱水ケーキの含水率および脱水ケーキの剥離性を評価した。結果を表１に示す。
【００３１】
（比較例１）
電磁波の照射を行わなかった以外は実施例１と同様にして消化汚泥を脱水した。
そして、脱水ケーキの含水率および脱水ケーキの剥離性を評価した。結果を表１に示す。
【００３２】
【表１】
2019118886.tif 000003
＜剥離性の評価基準＞
「◎」：ろ布に付着物が残らず脱水ケーキの剥離性が非常に良い。
「○」：ろ布に時々付着物が残る。
【００３３】
表１より、電磁波を照射した実施例１では、電磁波を照射しなかった比較例１と比較し、脱水ケーキの含水率が低下すると共に脱水ケーキの剥離性が向上することが分かる。
【産業上の利用可能性】
【００３４】
本発明の脱水機によれば、ろ過体を効率的に洗浄することができる。
【符号の説明】
【００３５】
１０  ベルトプレス脱水部
１１  下ろ布
１２  上ろ布
１３Ａ，１３Ｂ  液体供給機構
１３ａ  液体ボックス
１３ｂ  配管
１４Ａ，１４Ｂ  電磁波発生装置
１４ａ  電磁波照射部
１４ｂ  交流電流発生器
１４ｃ  Ｕ字管
１５  ローラ
１６  トレイ
２０  予備脱水部
２１  ろ布
２２  ローラ
２３  トレイ
２４  掻き寄せスクリュー
２５  脱水ローラ
３０  凝集混和槽
１００，２００  脱水機
２１０  スクリュー
２２０  スクリーン
２３０  液体供給機構
２４０  電磁波発生装置
Ｓ  汚泥
ＤＣ  脱水ケーキ
Ｗ  水
【図１】
2019118886.tif 000004
【図２】
2019118886.tif 000005
【図３】
2019118886.tif 000006
【図４】
2019118886.tif 000007
【図５】
2019118886.tif 000008